(57)【要約】【課題】灯具部分の薄型化を図るとともに器具バランスの安定化を図ることのできる照明装置を提供する。【解決手段】点灯装置４０を灯具２０とは別体で設けるようにしたので、バランスの安定化を図りつつ灯具を薄型化することができ、小型軽量化を図るとともに、外観を改善することができる。また、灯具２０には点灯装置４０が設けられていないので、点灯装置４０の重量を考慮して必要とされているバランサが不要となり、軽量化を図ることができるとともに、構成部品を減少させて組立工程を簡略化することができ、製造コストの低減を図ることができる。【選択図】図１
2008204695.tif 000002
【特許請求の範囲】
【請求項１】
管状の放電路が長手方向中央部を始点として同一平面に沿って渦巻状に旋回された発光管と、
前記発光管の両端部にそれぞれ設けられた一対の口金と、
前記口金に設けられて前記発光管の旋回軸に対して直交する平面に沿って延びるランプピンとを備える蛍光ランプと、
前記蛍光ランプに電力を供給する点灯装置と、
を有する照明器具であって、
前記点灯装置は、前記蛍光ランプが装着される灯具に対して離間して別体に設けられていることを特徴とする照明器具。
【請求項２】
前記点灯装置が前記灯具における照射面とは反対側に設けられ、かつ、前記点灯装置の長手方向が前記照射面に対して直交する線に沿って配置されていることを特徴とする請求項１に記載の照明装置。
【請求項３】
前記点灯装置と前記灯具との間に介装された連結部材を有し、
前記連結部材の側面視幅寸法が前記点灯装置の側面視幅寸法よりも小さいことを特徴とする請求項２に記載の照明装置。
【請求項４】
前記点灯装置の長手方向一端部に入力部が設けられているとともに、前記点灯装置の長手方向他端部に出力部が設けられていることを特徴とする請求項１〜請求項３に記載の照明装置。
【発明の詳細な説明】
【技術分野】
【０００１】
本発明は、蛍光ランプを用いた照明装置に関するものである。
【背景技術】
【０００２】
従来、図５（Ａ）〜（Ｃ）に示すような、リング状の蛍光ランプ１１１を用いて天井から吊るすタイプの照明装置１１０では、点灯装置１１２と蛍光ランプ１１１とが蛍光ランプ１１１の中心側に点灯装置１１２を位置させて積み重ね方向（図５（Ｂ）において上下方向）に配置されることが一般的である。また、取付部１１３を介して天井に取付けた際に、重量の大きな点灯装置１１２の配置に応じて器具バランスを保つことが困難であり、場合によっては別部品の重りであるバランサ１１４が必要となる。このため、径方向に関しては、蛍光ランプ１１１の大きさで全体の大きさが決まるとともに、全体の厚さが厚くなって照明装置１１０の外観を損ねているという問題があった。
【０００３】
そこで、小型化、薄型化を図るために、点灯装置を蛍光ランプから離間して取付面に直付けした照明装置が知られている（例えば特許文献１参照）。
特許文献１に記載されている照明装置は、点灯装置が天井あるいは壁面に直付けされ、ランプを含む照明器具本体は点灯装置と離間して設けられている。
【特許文献１】特開２００６−１２４８３号公報
【発明の開示】
【発明が解決しようとする課題】
【０００４】
前述した照明装置は、ランプを備える照明器具本体から離間して点灯装置を取付面に直付けしているため、照明器具本体の厚さはランプの厚さのみで決めることができ、薄型化できるが、取付面に直付けされている点灯装置はリング状の蛍光ランプの中心部から外部に出ることとなって、その分だけ照明装置全体としては大型化してしまっているという問題があった。
【０００５】
本発明は、従来の問題を解決するためになされたもので、照明装置全体としての大型化を招くことなく灯具部分の薄型化を図るとともに器具バランスの安定化を図ることのできる照明装置を提供することを目的とする。
【課題を解決するための手段】
【０００６】
本発明の照明装置は、管状の放電路が長手方向中央部を始点として同一平面に沿って渦巻状に旋回された発光管と、前記発光管の両端部にそれぞれ設けられた一対の口金と、前記口金に設けられて前記発光管の旋回軸に対して直交する平面に沿って延びるランプピンとを備える蛍光ランプと、前記蛍光ランプに電力を供給する点灯装置と、を有する照明器具であって、前記点灯装置は、前記蛍光ランプが装着される灯具に対して離間して別体に設けられている構成を有している。
【０００７】
この構成により、点灯装置を灯具とは離間して別体で設けるようにしたので、バランスの安定化を図りつつ灯具を薄型化することができ、小型軽量化を図るとともに、外観を改善することができる。また、灯具には点灯装置が設けられていないので、点灯装置の重量を考慮して必要とされているバランサが不要となり、軽量化を図ることができるとともに、構成部品を減少させて組立工程を簡略化することができ、製造コストの低減を図ることができる。
【０００８】
また、本発明の照明装置は、前記点灯装置が前記灯具における照射面とは反対側に設けられ、かつ、前記点灯装置の長手方向が前記照射面に対して直交する線に沿って配置されている構成を有している。
【０００９】
この構成により、点灯装置が灯具における照射面とは反対側に設けられているため、点灯装置および灯具を一体的に着脱することができる。また、点灯装置の長手方向が照射面に対して直交する線に沿うように設けられているため、点灯装置の存在感を希薄化でき、灯具の外観を改善することができる。
【００１０】
さらに、本発明の照明装置は、前記点灯装置と前記灯具との間に介装された連結部材を有し、前記連結部材の側面視幅寸法が前記点灯装置の側面視幅寸法よりも小さい構成を有している。
【００１１】
この構成により、点灯装置の側面視幅寸法よりも小さい連結部材を介して点灯装置と灯具とが連結されているので、点灯装置と灯具とが区分けされて、点灯装置の存在感を希薄化することができ、灯具の外観を改善することができる。
【００１２】
さらに、本発明の照明装置は、前記点灯装置の長手方向一端部に入力部が設けられているとともに、前記点灯装置の長手方向他端部に出力部が設けられている構成を有している。
【００１３】
この構成により、ランプ線と電源線が近接、交渉しないため、ノイズ出力を低減することができる。
【発明の効果】
【００１４】
本発明は、点灯装置を灯具とは離間して別体で設けるようにしたので、バランスの安定化を図りつつ灯具を薄型化することができ、小型軽量化を図るとともに、外観を改善することができる。また、灯具には点灯装置が設けられていないので、点灯装置の重量を考慮して必要とされているバランサが不要となり、軽量化を図ることができるとともに、構成部品を減少させて組立工程を簡略化することができ、製造コストの低減を図ることができるという効果を有する照明装置を提供することができるものである。
【発明を実施するための最良の形態】
【００１５】
以下、本発明の実施の形態の照明装置について、図面を用いて説明する。
図１は本発明に係る実施形態の照明装置を示す断面正面図、図２（Ａ）は図１中Ａ方向から見た平面図、図２（Ｂ）は図１中Ｂ方向から見た平面図、図２（Ｃ）は図１中Ｃ−Ｃ位置の断面図、図３（Ａ）は蛍光ランプの平面図、図３（Ｂ）は（Ａ）中Ｂ方向から見た側面図、図４（Ａ）は蛍光ランプ装着前（装着時）のソケットを示す斜視図、図４（Ｂ）は蛍光ランプ装着後のソケットを示す斜視図である。
【００１６】
図１に示すように、本発明に係る実施形態の照明装置１０は、蛍光ランプ３０と、蛍光ランプ３０に電力を供給する点灯装置４０を有しており、点灯装置４０は蛍光ランプ３０が装着される灯具２０に対して別体に設けられている。
【００１７】
すなわち、点灯装置４０を灯具２０に対して照射面２１とは反対側（図１中上側）に配置するとともに、点灯装置４０の長手方向（図１中上下方向）が照射面２１に対して直交する線（すなわち、鉛直線）に沿うように配置している。そして、灯具２０と点灯装置４０との間には連結部材５０を設けて、灯具２０を連結部材５０を介して点灯装置４０から吊下げている。
【００１８】
従って、図１に示すように、この照明装置１０では、例えば、天井１１に取付けられた取付装置１３から吊下げワイヤ１４を下方へ垂らして点灯装置４０を吊下げ、点灯装置４０の下側には連結部材５０を介して灯具２０を吊下げている。また、取付装置１３の端子台１３ａに接続されている電源線１５を吊下げワイヤ１４とともに垂らして点灯装置４０の入力部４３に接続するとともに、取付装置１３の端子台１３ａを天井１１に配線されている電源線１２に接続することにより、点灯装置４０に電力を供給している。
【００１９】
図１および図２（Ａ）に示すように、取付装置１３は、有底円筒状の取付部カバー１３ｂの内の内部空間１３ｄに配置された取付金具１３ｃに端子台１３ａを設けている。取付金具１３ｃは天井にねじで取付けられ、その中央には吊下げ高さ調整具１６が取付けられている。吊下げ高さ調整具１６は、吊下げワイヤ１４の取付装置１３からの出代を変えることで灯具２０の吊下げ高さを調整可能としている。また、取付部カバー１３ｂに設けられている穴（図示省略）から電源線１５を下方へ配線している。
【００２０】
図１および図２（Ｂ）に示すように、点灯装置４０は丸みを帯びた矩形箱状のケース４１を有しており、吊下げワイヤ１４が天板４１ａを貫通してケース４１の内部に設けられているワイヤ取付部４２に接続されている。また、吊下げワイヤ１４に沿って配線されている電源線１５が、点灯装置４０の上部に設けられている入力部４３に接続されており、点灯装置４０に電力を供給している。点灯装置４０内部の下部には出力部４４が設けられて図示しないランプ線が接続されており、蛍光ランプ３０に電力を供給している。このため、ランプ線と電源線１５が近接しないため、ノイズ出力を低減することができる。
【００２１】
点灯装置４０の底板４１ｂ下面の中心には、下方へパイプ状の連結部材５０が取り付けられている。連結部材５０の断面形状は、丸形、角型、正多角形等を用いることができる。この連結部材５０は、点灯装置４０から灯具２０を吊下げる強度を有するとともに、内部には蛍光ランプ３０に電力を供給するランプ線（図示省略）を配線する空間を有している。また、連結部材５０の側面から見た幅寸法や外径は、灯具２０はもちろん点灯装置４０の側面視幅寸法よりも小さくなるように設定されている。
【００２２】
灯具２０は略円形薄箱状をなし、連結部材５０の下端面に、円板状のアルミダイカスト製の灯具本体５１が一体的に設けられている。灯具本体５１の外周縁には複数個の取付け穴５２が設けられていて、取付け穴５２は、灯具２０の下カバー２７ｂの取付け用のネジ２３の頭が通過できる丸穴部５２ａと、ネジ部は通るがネジ頭は通過できない幅の長穴部５２ｂとを有しており、ネジ止めする際の作業性を良好にしている。
【００２３】
図１および図２（Ｃ）に示すように、灯具２０は灯具本体５１の上に有底円筒形状の上カバー２７ａが開口を下に向けて載置されている。上カバー２７ａは、例えばポリカーボネイト樹脂製で、透光性を有しており、蛍光ランプ３０からの光を側方及び上方へ照射するようになっている。灯具本体５１の下面には、例えば白色塗装された鋼板製の反射板２６が取付けられており、反射板２６の下面に一対のランプ支持バネ２８、２８および１対のソケット２９、２９が近接して下方に向かって取付けられている。
【００２４】
上カバー２７ａの内部には、上部が開口した例えばポリカーボネイト樹脂製の半透明な有底円筒形状の本体カバー２５と、上カバー２７ａの開口を覆う例えばアクリル樹脂製の半透明の下カバー２７ｂとが設けられていて、本体カバー２５内面に立設された複数の取付けブロック２４に、ネジ２５ａによって一括して取付けられている。取付けブロック２４の上端には、それぞれネジ２３が設けられていて、取付け穴５２にネジ２３の頭を通すことで、本体カバー２５と下カバー２７ｂとを蛍光ランプ３０の交換時等に灯具本体５１に着脱可能となっている。本体カバー２５は、灯具本体５１を内部に含む大きさを有しており、後述するように蛍光ランプ３０を内包するものであり、本体カバー２５があることで下カバー２７ｂに蛍光ランプ３０のランプイメージが出難くなっている。なお、本体カバー２５と下カバー２７ｂとは一体でも良い。また、下カバー２７ｂは非透光性材料で形成してもよい。
【００２５】
図３（Ａ）および（Ｂ）に示すように、蛍光ランプ３０は、管状の放電路が長手方向中央部３１ａを始点として同一平面に沿って渦巻状に旋回された発光管３１と、この発光管３１の両端部にそれぞれ設けられた１対の口金３２、３２と、各口金３２に設けられて発光管３１の旋回軸に対して直交する平面に沿って延びる一対のランプピン３３、３３とを備えている。従って、１対の口金３２、３２および１対のランプピン３３、３３は、発光管３１の中央部３１ａに対して、点対称の位置に位置することになる。なお、発光管３１の中央部３１ａは、その他の部分に比して太径となっており、最冷点となっている。また、１対のランプピン３３、３３は、同一鉛直線状で上下に設けられている。
【００２６】
図３（Ａ）および（Ｂ）に示すように、１対の口金３２、３２は、ブリッジ３４によって連結するのが望ましい。これにより、ランプピン３３のピッチ（配置）を安定させるとともに、蛍光ランプ３０の強度を向上させることができる。また、ブリッジ３４上で、口金３２と近接する発光管３１との間、あるいは近接する発光管３１同士の間には、充填剤３５を設けるのが望ましい。これにより、発光管３１の強度を増すとともに、発熱するランプ口金３２の放熱を図ることができる。
【００２７】
図４（Ａ）、（Ｂ）に示すように、ソケット２９は、反射板２６に取付けられる台部２９ａと、ランプピン３３を介して蛍光ランプ３０に電力を供給する端子を有する受け金２９ｂと、台部２９の上（吊下げ時には下）に設けられ受け金２９ｂを所定角度で回転可能に保持するホルダ部２９ｃを有している。受け金２９ｂにはスリット２９ｄおよびスリット２９ｄに連続して中心部に空間２９ｅが設けられており、空間２９ｅの内面に受け金２９ｂと共に回転する端子２９ｆが設けられている。空間２９ｅの大きさは、１対のランプピン３３、３３を回転可能に含むことができる大きさとなっている。なお、受け金２９ｂにはレバー２９ｇが設けられている。
【００２８】
次に、蛍光ランプ３０の着脱について説明する。
なお、図４においては、説明の便宜上、照射面２１を上向きにした状態を示して、説明する。従って、吊下げて照明装置１０を用いる場合には、上下の位置関係が反対となる。
【００２９】
図４（Ａ）に示すように、１対のソケット２９、２９の受け金２９ｂのスリット２９ｄが最上端に位置するように、受け金２９ｂを回転させておく。通常は、蛍光ランプ３０を取り付ける前、すなわち古い蛍光ランプを取り外した後は、受け金２９ｂはこの位置にある。また、蛍光ランプ３０を水平にすると、１対の口金３２、３２に設けられている１対のランプピン３３，３３は鉛直方向上下に位置し、スリット２９ｄの方向と同じになる。
【００３０】
この状態で、ランプピン３３、３３を受け金２９ｂのスリット２９ｄから空間２９ｅまで挿入する（図４（Ａ）中矢印Ｉ）。このとき、各ソケット２９の近傍に設けられているランプ支持バネ２８によって蛍光ランプ３０の発光管３１を保持するようにする。これにより、蛍光ランプ３０の取付けの際に、蛍光ランプ３０がソケット２９から脱落するのを防止することができる。次いで、レバー２９ｇを移動させて（図４（Ａ）中矢印II）、口金２９ｂを回転させる。これにより、図４（Ｂ）に示すように、受け金２９ｂの端子２９ｆが両ランプピン３３、３３に接触して電気的に接続されるとともに、スリット２９ｄが回転するのでランプピン３３の上方は蓋されることになる。これにより、ランプピン３３がソケット２９から脱落するのを完全に防止することができる。
なお、蛍光ランプ３０の取外しは、上述した蛍光ランプ３０の取付け手順を逆に行うことにより行われる。
【００３１】
以上、説明したように、本発明に係る実施形態の照明装置１０によれば、点灯装置４０を灯具２０とは別体で設けるようにしたので、バランスの安定化を図りつつ灯具２０を薄型化することができ、小型軽量化を図るとともに、外観を改善することができる。また、灯具２０には点灯装置４０が設けられていないので、点灯装置１０の重量を考慮して必要とされているバランサが不要となり、軽量化を図ることができるとともに、構成部品を減少させて組立工程を簡略化することができ、製造コストの低減を図ることができる。
【００３２】
また、点灯装置４０が灯具２０における照射面２１とは反対側に設けられているため、点灯装置４０および灯具２０を一体的に着脱することができる。また、点灯装置４０の長手方向が照射面２１に対して直交する線に沿うように設けられているため、点灯装置４０の存在感を希薄化でき、灯具２０の外観を改善することができる。
【００３３】
また、灯具２０の側面視幅寸法よりも小さい連結部材５０を介して点灯装置４０と灯具２０とが連結されているので、点灯装置４０と灯具２０とが区分けされて、点灯装置４０の存在感を希薄化することができ、灯具２０の外観を改善することができる。
【００３４】
なお、本発明の照明装置１０は、前述した実施形態に限定されるものでなく、適宜な変形，改良等が可能である。例えば、図２（Ｃ）に示すように、円形の上カバー２７ａおよび下カバー２７ｂを例示したが、この他、正方形や正多角形等でも良い。
【産業上の利用可能性】
【００３５】
以上のように、本発明にかかる照明装置は、点灯装置を灯具とは別体で設けるようにしたので、バランスの安定化を図りつつ灯具を薄型化することができ、小型軽量化を図るとともに、外観を改善することができる。また、灯具には点灯装置が設けられていないので、点灯装置の重量を考慮して必要とされているバランサが不要となり、軽量化を図ることができるとともに、構成部品を減少させて組立工程を簡略化することができ、製造コストの低減を図ることができるという効果を有し、蛍光ランプを用いた照明装置等として有用である。
【図面の簡単な説明】
【００３６】
【図１】本発明に係る実施形態の照明装置を示す断面正面図である。
【図２】（Ａ）は図１中Ａ方向から見た平面図、（Ｂ）は図１中Ｂ方向から見た平面図、（Ｃ）は図１中Ｃ−Ｃ位置の断面図である。
【図３】（Ａ）は蛍光ランプの平面図、（Ｂ）は（Ａ）中Ｂ方向から見た側面図である。
【図４】（Ａ）は蛍光ランプ装着前（装着時）のソケットを示す斜視図、（Ｂ）は蛍光ランプ装着後のソケットを示す斜視図である。
【図５】（Ａ）は従来の照明装置を示す平面図、（Ｂ）は従来の照明装置を示す断面図、（Ｃ）は従来の照明装置を示す底面図である。
【符号の説明】
【００３７】
１０  照明器具
２０  灯具
２１  照射面
３０  蛍光ランプ
３１  発光管
３１ａ  中央部
３２  口金
３３  ランプピン
４０  点灯装置
４３  入力部
４４  出力部
５０  連結部材
【図１】
2008204695.tif 000003
【図２】
2008204695.tif 000004
【図３】
2008204695.tif 000005
【図４】
2008204695.tif 000006
【図５】
2008204695.tif 000007